(57)【要約】【課題】制御情報のトラヒック量を調整することによりシステムスループットを向上する無線通信システム、基地局装置、および無線端末を提供すること。【解決手段】複数の無線端末からフィードバックされる通信品質情報（ＣＱＩ情報）に応じて複数の無線端末へ帯域を割り当てることによりスケジューリングする基地局装置１００に、スケジューリングの対象である無線端末の数を計数する演算手段としてのスケジューリング実行部１２１と、スケジューリング対象の無線端末数に応じて通信品質情報を表すビット数を決定すると共に、決定されたビット数を示す指定情報を生成する指定情報生成部１２３と、指定情報を送信する送信部１３０と、を設けた。こうして、制御情報に要する情報量を削減できるため、制御情報以外の送信データに用いることができる情報量を増加させることができることにより、システムスループットを向上することができる。【選択図】図１
2008283475.tif 000002
【特許請求の範囲】
【請求項１】
複数の無線端末と、前記複数の無線端末からフィードバックされる通信品質情報に応じて前記複数の無線端末へ帯域を割り当てることによりスケジューリングする基地局装置とを具備する無線通信システムであって、
前記基地局装置は、スケジューリングの対象である無線端末の数を計数する演算手段と、前記無線端末の数に応じて前記通信品質情報を表すビット数を決定すると共に、決定されたビット数を示す指定情報を生成する指定情報生成手段と、前記指定情報を送信する送信手段とを具備し、
前記無線端末は、前記指定情報に応じたビット数で通信品質を表現することにより通信品質情報を生成し、生成された前記通信品質情報を前記基地局装置に送信する
無線通信システム。
【請求項２】
収容できる最大の無線端末の数が異なる複数の基地局装置と、通信品質情報を収容されている基地局装置に対してフィードバックする複数の無線端末とを具備する無線通信システムであって、
前記基地局装置は、前記収容できる最大の端末数に応じたビット数で前記通信品質情報を表すことを指定する指定情報を生成する指定情報生成手段と、前記指定情報を送信する送信手段とを具備し、
前記無線端末は、前記指定情報に応じたビット数で通信品質を表現することにより通信品質情報を生成し、生成された前記通信品質情報を送信する
無線通信システム。
【請求項３】
複数の無線端末からフィードバックされる通信品質情報に応じて前記複数の無線端末へ帯域を割り当てることによりスケジューリングする基地局装置であって、
スケジューリングの対象である無線端末の数を計数する演算手段と、
前記無線端末の数に応じて前記通信品質情報を表すビット数を決定すると共に、決定されたビット数を示す指定情報を生成する指定情報生成手段と、
前記指定情報を送信する送信手段と、
を具備する基地局装置。
【請求項４】
前記演算手段は、前記スケジューリング対象の無線端末に関して前記通信品質の分布を算出し、
前記指定情報生成手段は、前記分布のパターンを示す情報を含めた前記指定情報を生成する
請求項３に記載の基地局装置。
【請求項５】
前記スケジューリング対象の無線端末は、前記通信品質情報が示す通信品質が予め決められたレベル以上の無線端末のみである請求項３に記載の基地局装置。
【請求項６】
収容されている基地局装置に対して前記基地局装置との間の通信品質情報をフィードバックする無線端末であって、
複数の予め決められたビット数で表現できる各ビット列と、各ビット数に応じた幅で規定された通信品質範囲とが対応づけられたテーブルを具備し、
測定通信品質と前記基地局装置から指定されるビット数とに基づいて前記テーブルで対応する通信品質範囲を特定し、特定された通信品質範囲に対応するビット列を前記通信品質情報としてフィードバックする無線端末。
【発明の詳細な説明】
【技術分野】
【０００１】
本発明は、無線通信システム、基地局装置、および無線端末に関し、特に無線端末がフィードバックする通信品質に基づいて基地局装置が無線端末のスケジューリングを行う無線通信システムに関する。
【背景技術】
【０００２】
複数の無線端末にサブキャリアを割り当てる方法として、特許文献１に開示されているものがある。
【０００３】
特許文献１においては、無線端末が下り受信品質情報をサブキャリア(副搬送波)毎に測定し、測定値を上りリンクで基地局装置にフィードバックする。基地局装置は、品質のよいサブキャリアを持ったユーザ（無線端末）に下りリンクの帯域を割り当てる。
【０００４】
従来、システム上で予め割り当てる帯域をユーザ単位に分けておき、基地局が割り当てていた。すなわち、品質情報に基づいて割り当てたわけではないので、下りリンクの特性が悪くなることもある。
【０００５】
これに対して、特許文献１に開示された技術では、各ユーザの品質情報に基づいた帯域割当を行うので、周波数スペクトルの利用効率が改善される。
【特許文献１】特開２００５−３２３３８５号公報
【発明の開示】
【発明が解決しようとする課題】
【０００６】
しかしながら、品質情報をそのまま常にフィードバックすると、フィードバック量が膨大になり上りトラフィックに影響を及ぼす問題があるが、従来技術ではこの点について配慮がなされていない。
【０００７】
本発明は、かかる点に鑑みてなされたものであり、制御情報のトラヒック量を調整することによりシステムスループットを向上する無線通信システム、基地局装置、および無線端末を提供することを目的とする。
【課題を解決するための手段】
【０００８】
本発明の無線通信システムは、複数の無線端末と、前記複数の無線端末からフィードバックされる通信品質情報に応じて前記複数の無線端末へ帯域を割り当てることによりスケジューリングする基地局装置とを具備する無線通信システムであって、前記基地局装置は、スケジューリングの対象である無線端末の数を計数する演算手段と、前記無線端末の数に応じて前記通信品質情報を表すビット数を決定すると共に、決定されたビット数を示す指定情報を生成する指定情報生成手段と、前記指定情報を送信する送信手段とを具備し、前記無線端末は、前記指定情報に応じたビット数で通信品質を表現することにより通信品質情報を生成し、生成された前記通信品質情報を前記基地局装置に送信する構成を採る。
【０００９】
本発明の基地局装置は、複数の無線端末からフィードバックされる通信品質情報に応じて前記複数の無線端末へ帯域を割り当てることによりスケジューリングする基地局装置であって、スケジューリングの対象である無線端末の数を計数する演算手段と、前記無線端末の数に応じて前記通信品質情報を表すビット数を決定すると共に、決定されたビット数を示す指定情報を生成する指定情報生成手段と、前記指定情報を送信する送信手段と、を具備する構成を採る。
【００１０】
本発明の無線端末は、収容されている基地局装置に対して前記基地局装置との間の通信品質情報をフィードバックする無線端末であって、予め決められた複数のビット数で表現できる各ビット列と、各ビット数に応じた幅で規定された通信品質範囲とが対応づけられたテーブルを具備し、測定通信品質と前記基地局装置から指定されるビット数とに基づいて前記テーブルで対応する通信品質範囲を特定し、特定された通信品質範囲に対応するビット列を前記通信品質情報としてフィードバックする構成を採る。
【発明の効果】
【００１１】
本発明によれば、制御情報のトラヒック量を調整することによりシステムスループットを向上する無線通信システム、基地局装置、および無線端末を提供することができる。
【発明を実施するための最良の形態】
【００１２】
以下、本発明の実施の形態について図面を参照して詳細に説明する。なお、実施の形態において、同一の構成要素には同一の符号を付し、その説明は重複するので省略する。
【００１３】
（実施の形態１）
図１に示すように実施の形態１の基地局装置１００は、受信部１１０と、スケジューリング部１２０と、送信部１３０とを有する。受信部１１０は、無線受信部１４１と、同期処理部１４２と、ＦＦＴ部１４３と、デスクランブル部１４４と、チャネル推定部１４５と、チャネル補償部１４６と、復調部１４７と、誤り訂正復号部１４８とを有する。送信部１３０は、誤り訂正符号化部１５１と、変調部１５２と、チャネル多重部１５３と、サブキャリアマッピング部１５５とスクランブル部１５６とＩＦＦＴ部１５７とを備えるＯＦＤＭ変調部１５４と、無線送信部１５８とを有する。
【００１４】
無線受信部１４１は、アンテナを介して受信した受信ＯＦＤＭ信号に所定の無線受信処理（ダウンコンバート、Ａ／Ｄ変換など）を施し、無線受信処理後のＯＦＤＭ信号を同期処理部１４２および高速フーリエ変換（ＦＦＴ）部１４３に出力する。
【００１５】
同期処理部１４２は、シンボル同期確立処理およびフレーム同期確立処理を行い、検出されたシンボルタイミングおよびフレームタイミングを同期タイミング情報としてＦＦＴ部１４３に出力する。
【００１６】
ＦＦＴ部１４３は、同期処理部１４２にて特定されたシンボルタイミングに基づいて、無線受信処理後のＯＦＤＭ信号をフーリエ変換することにより、周波数方向の信号を形成する。
【００１７】
デスクランブル部１４４は、スクランブルコード番号を特定すると共に、この番号に対応するスクランブルコードでＦＦＴ処理後の信号をデスクランブルする。
【００１８】
チャネル推定部１４５は、ＦＦＴ処理後の信号に含まれるパイロット信号（これを「受信パイロット信号」と呼ぶことがある）と、パイロット信号レプリカとに基づいて、チャネル推定値を算出する。なお、同期処理部１４２にて特定されたフレームタイミングから受信フレーム中のパイロット信号の位置が分かるので、チャネル推定部１４５は、ＦＦＴ処理後の信号から受信パイロット信号を抽出することができる。
【００１９】
チャネル補償部１４６は、チャネル推定部１４５にて算出されたチャネル推定値に基づいて、ＦＦＴ処理後の信号に対してチャネル補償を行う。
【００２０】
復調部１４７は、チャネル補償後の信号を復調する。誤り訂正復号部１４８は、復調後の信号に誤り訂正復号処理を施し、復号データを得る。
【００２１】
スケジューリング部１２０は、基地局装置１００がカバーするセル（以下、単に「セル」と呼ぶことがある）内の状況に応じたＣＱＩインデックス情報をそのセル内に存在する無線端末に向けて送信する。このＣＱＩインデックス情報の送信には、報知チャネルが用いられる。ＣＱＩインデックス情報は、基地局装置１００から送信されるパイロットに基づいて無線端末がＣＱＩ情報を基地局装置１００に対してフィードバックする際に、ＣＱＩ情報を表すビット数（以下、「ＣＱＩ情報ビット数」と呼ぶことがある）を指定する情報である。
【００２２】
またスケジューリング部１２０は、無線端末からフィードバックされるＣＱＩ情報に基づいてセル内の状況を判定する。スケジューリング部１２０は、セル内のスケジューリング対象である無線端末数に応じてセル内の状況を判定する。スケジューリング対象の無線端末数は、例えば、無線端末からフィードバックされるＣＱＩ情報の数に基づいて特定される。
【００２３】
またスケジューリング部１２０は、セル内の状況に応じたＣＱＩインデックス情報を生成する。スケジューリング部１２０は、具体的には、スケジューリング対象の無線端末数に応じたＣＱＩインデックス情報を生成する。スケジューリング部１２０は、記憶部（図示せず）に格納される、無線端末数の範囲毎のＣＱＩ情報ビット数が示されるテーブルを参照し、特定されたスケジューリング対象の無線端末数に対応するＣＱＩ情報ビット数を示す情報をＣＱＩインデックス情報として生成する。
【００２４】
またスケジューリング部１２０は、少なくとも１つのサブキャリアからなるサブキャリアグループであるリソースブロック（ＲＢ）毎に、スケジューリング対象の無線端末を割り当てることにより、スケジューリングする。このスケジューリングは、無線端末からＲＢ毎にフィードバックされるＣＱＩ情報に基づいて行われる。無線端末からフィードバックされるＣＱＩ情報は、直近に送信されたＣＱＩインデックス情報に対応するビット数（初期段階ではデフォルトのビット数）で送信されている。スケジューリング部１２０は、ＣＱＩ情報に基づいてＲＢ毎に通信品質の良い無線端末が特定できるので、各ＲＢにおいてできるだけ通信品質の良い無線端末にＲＢが割り当てられるようにスケジューリングする。
【００２５】
具体的には、スケジューリング部１２０は、スケジューリング実行部１２１と、帯域割り当て部１２２と、指定情報生成部１２３とを有する。
【００２６】
スケジューリング実行部１２１は、誤り訂正復号部１４８にて復号された制御チャネルの復号データから、複数の無線端末からＲＢ毎に送信された複数のＣＱＩ情報を抽出する。スケジューリング実行部１２１は、抽出されたＣＱＩ情報に基づいて各ＲＢに割り当てる無線端末を決定し、即ちスケジューリングを行い、ＲＢ毎に決定された無線端末の識別情報を帯域割り当て部に出力する。スケジューリング実行部１２１は、すべてのＲＢに割り当てた無線端末、即ちスケジューリング対象の無線端末の数を計数し、計数値を指定情報生成部１２３に出力する。
【００２７】
帯域割り当て部１２２は、各ＲＢを構成するサブキャリアに対して各ＲＢに割り当てられた無線端末宛のサブストリームがマッピングされるように、ＯＦＤＭ変調部１５４を制御する。
【００２８】
指定情報生成部１２３は、スケジューリング実行部１２１からのスケジューリング対象の無線端末数に応じたＣＱＩインデックス情報を生成する。このＣＱＩインデックス情報は、送信部にて所定の送信処理が施された後に、アンテナを介して送信される。
【００２９】
誤り訂正符号化部１５１は、報知チャネル、制御チャネル、データチャネルなどの送信データを入力し、誤り訂正符号化処理を施して変調部１５２に出力する。
【００３０】
変調部１５２は、誤り訂正符号化後の送信データに変調処理を施してチャネル多重部１５３に出力する。
【００３１】
チャネル多重部１５３は、各チャネルの変調後の送信信号を多重し、チャネル多重信号をＯＦＤＭ変調部１５４に出力する。
【００３２】
ＯＦＤＭ変調部１５４は、スケジューリング部１２０のスケジューリングに従って、各ＲＢに割り当てられた無線端末宛のサブストリームを、各ＲＢを構成するサブキャリアに対してマッピングする。このマッピングは、サブキャリアマッピング部１５５にて行われる。スクランブル部１５６は、基地局固有のスクランブリングコードで各サブストリームをスクランブルする。ＩＦＦＴ部１５７は、周波数方向の信号から時間方向の信号に変換することにより、ＯＦＤＭ信号を形成する。
【００３３】
無線送信部１５８は、ＯＦＤＭ信号に所定の無線送信処理を施してアンテナを介して送信する。
【００３４】
次に上記構成を有する基地局装置および無線端末から構成される無線通信システムの動作について図２を参照して説明する。なお、説明を簡単にするために、無線通システムには基地局装置１００と２つの無線端末Ａ，Ｂとが存在する場合について説明する。
【００３５】
ステップＳ２０１およびステップＳ２０２で無線端末Ａおよび無線端末ＢからＲＢ毎のＣＱＩ情報が送信される。このときＣＱＩ情報は、この送信以前に基地局装置１００から送信されたＣＱＩインデックス情報に応じたビット数で表されている。
【００３６】
ステップＳ２０３で基地局装置１００のスケジューリング部１２０は、ＣＱＩ情報に基づいて無線端末Ａ及び無線端末Ｂに対するスケジューリングを行うと共に、ＣＱＩインデックス情報を生成する。実施の形態１では、スケジューリング対象の無線端末数に応じたＣＱＩインデックス情報が生成される。スケジューリング対象の複数の無線端末に関する受信品質の相対的な善し悪しが分かればスケジューリングを行うことが可能なので、スケジューリング対象の無線端末数が少ない場合、ＣＱＩを細かく分類する必要、即ち通信品質を細かい範囲に分けて各範囲にＣＱＩ情報を対応づける必要がない。そのため、スケジューリング対象の無線端末数が少ない場合には、少ないビット数を示すＣＱＩインデックス情報が生成される。
【００３７】
ステップＳ２０４およびステップＳ２０５で基地局装置１００は、スケジューリングにより各無線端末に割り当てられたＲＢに含まれるサブキャリアを用いて各無線端末宛の送信データを送信する。例えば、図３（ａ）に示すように無線端末Ａでは両端付近のＲＢにおける通信品質が良好である一方、図３（ｂ）に示すように無線端末Ｂでは中央付近のＲＢにおける通信品質が良好である場合には、ステップＳ２０３では、無線端末Ａに両端付近のＲＢが割り当てられ、無線端末Ｂに中央付近のＲＢが割り当てられる。この結果、基地局装置１００からは、図４に示したような形で各無線端末宛の送信データが送信されることになる。
【００３８】
ステップＳ２０６およびステップＳ２０７で基地局装置１００は、生成されたＣＱＩインデックス情報を共通チャネルでセル内の全無線端末宛てに送信する。
【００３９】
ステップＳ２０８およびステップＳ２０９でセル内のすべての無線端末である無線端末Ａおよび無線端末Ｂは、基地局装置１００にＣＱＩ情報を送信する。
【００４０】
ここで無線端末は、例えば図５に示すようなＣＱＩテーブルを保持している。図５に示すようにＣＱＩテーブルは、ＣＱＩインデックス情報に応じた幅で通信品質範囲（同図では、−１０ｄＢ〜３０ｄＢ）が区分けされている。即ち、ＣＱＩテーブルでは、ＣＱＩインデックス情報の示すビット数のビット列で表すことができる数のそれぞれと、ＣＱＩ範囲とが対応づけられている。ビット数が増える程、１つのビット列に対応するＣＱＩ範囲は狭くなる。すなわち、ビット数が増える程細かくＣＱＩ範囲が設定される。図５では、６ビットが最大のビット数であり、このとき１つのＣＱＩ幅が０．５ｄＢで最小となる。
【００４１】
そして無線端末は、基地局装置１００から送信されるパイロットを用いて測定されたＲＢ毎の通信品質を、基地局装置１００から送信されている直近のＣＱＩインデックス情報の示すビット数で表現したＣＱＩ情報を生成し、生成されたＣＱＩ情報を基地局装置１００に送信する。無線端末における通信品質の測定およびＣＱＩ情報の送信は、フレーム毎又はサブフレーム（例えばＴＴＩ：Transmit Time Interval）毎に行われる。そのため、基地局装置１００においても、フレーム毎又はサブフレーム毎にスケジューリングおよびＣＱＩインデックス情報の送信が行われる。
【００４２】
図６には、ＣＱＩインデックス情報が４ビットである場合に無線端末から基地局装置にフィードバックされるＣＱＩ情報が示されている。このときＣＱＩテーブルにおける２ｄＢの幅で均等に区分けされたＣＱＩ範囲が使用される。無線端末は、各ＲＢの通信品質に対応するＣＱＩ範囲が４ビット列で表現されたＣＱＩ情報を送信する。
【００４３】
図７は、ステップＳ２０３にて行われるＣＱＩインデックス情報の生成方法の説明に供する図である。図７では、（ａ）から（ｄ）に行くに従い基地局装置がカバーするセル内に存在する無線端末の数が増えている。無線端末数が増えるに従い無線端末の通信品質を区別して相対的に分類するためには、幅の小さいＣＱＩ範囲に分ける必要がある。そのため、（ａ）から（ｄ）に行くに従いＣＱＩインデックス情報の示すビット数は大きく設定される。
【００４４】
図７（ａ）では、基地局装置は３つの無線端末のＣＱＩ情報をもとに下りのスケジューリングを行う。このときＣＱＩテーブルの分解能が低くても、３ユーザのＣＱＩの相対関係を知ることができる可能性が高い。したがって、基地局装置は報知チャネルを用いてCＣＱＩインデックスが３ｂｉｔであることを全ユーザに通知する。報知チャネルを受信した各ユーザは、現在のＣＱＩインデックスが３ｂｉｔであることを認識し、ＣＱＩ情報のフィードバック時に３ｂｉｔの情報を用いて基地局装置に送信する。全ユーザからの３ｂｉｔのＣＱＩ情報を受信した基地局装置は、３ユーザのＣＱＩの相対関係を求め、スケジューリングを行う。図７（ｂ）〜（ｄ）でも基地局装置がスケジューリング対象ユーザ数に応じて、ＣＱＩインデックスを決定(ユーザ数が多いほど、ＣＱＩインデックスも大きくなる)し、そのＣＱＩインデックスを全ユーザに報知し、各セル内の無線端末は基地局装置から通知されたＣＱＩインデックスに応じて上りＣＱＩ情報のフィードバックを行う。セル内では時々刻々とユーザ数が変化するので、その変化に合わせて基地局装置がＣＱＩインデックスの制御を行うことで、上りフィードバック量の最適化を図る。上りのフィードバック量を最適化することで上りの空き領域ができるので、本来ユーザが送信したいデータを送ることに有効活用することが可能となる。
【００４５】
このように本実施の形態によれば、複数の無線端末からフィードバックされる通信品質情報（ＣＱＩ情報）に応じて複数の無線端末へ帯域を割り当てることによりスケジューリングする基地局装置１００に、スケジューリングの対象である無線端末の数を計数する演算手段としてのスケジューリング実行部１２１と、スケジューリング対象の無線端末数に応じて通信品質情報を表すビット数を決定すると共に、決定されたビット数を示す指定情報を生成する指定情報生成部１２３と、指定情報を送信する送信部１３０と、を設けた。
【００４６】
こうすることにより、スケジューリングに細かな通信品質の違いを判別する必要のない無線端末数の場合には、少ないビット数で表された通信品質情報をフィードバックすることができる。そのため、制御情報に要する情報量を削減できるため、制御情報以外の送信データに用いることができる情報量を増加させることができることにより、システムスループットを向上することができる。
【００４７】
また本実施の形態によれば、収容されている基地局装置に対して前記基地局装置との間の通信品質情報をフィードバックする無線端末に、予め決められた複数のビット数で表現できる各ビット列と、各ビット数に応じた幅で規定された通信品質範囲とが対応づけられたテーブルを設け、無線端末が、測定通信品質と前記基地局装置から指定されるビット数とに基づいて前記テーブルで対応する通信品質範囲を特定し、特定された通信品質範囲に対応するビット列を前記通信品質情報としてフィードバックする。
【００４８】
（実施の形態２）
実施の形態２では、ＣＱＩ情報を送信してきた無線端末のすべてがスケジューリング対象とされず、一定の基準以上の通信品質が保証される無線端末のみがスケジューリングの対象とされる。具体的には、瞬時のスケジューリング対象ユーザのうち、ＣＱＩが或るしきい値を超えた受信状態のユーザ数に応じて、ＣＱＩインデックス情報を変更する。なお、基本的には、実施の形態２の基地局装置は、実施の形態１の基地局装置の構成と同じなので、図１を参照して説明する。
【００４９】
実施の形態２の基地局装置は、スケジューリング実行部１２１を備えるスケジューリング部を有する。スケジューリング実行部１２１は、ＣＱＩが所定のしきい値を超えるユーザのみをスケジューリング対象としてスケジューリングすると共に、スケジューリング対象の無線端末数を指定情報生成部１２３に出力する。スケジューリング実行部１２１は、各無線端末に関し全ＲＢの通信品質を平均化した後に、その平均値としきい値との比較を行う。このしきい値を超える無線端末がスケジューリング対象となる。そして、スケジューリング実行部１２１は、スケジューリング対象の無線端末の数を指定情報生成部１２３に出力する。
【００５０】
基地局装置は、各ユーザからフィードバックされたＣＱＩ情報をもとにＣＱＩインデックスを決定する。その際或るＣＱＩのしきい値を予めシステムで決めておき、そのしきい値を超えたユーザのみをスケジューリング対象の数をカウントし、そのカウント値をもとにＣＱＩインデックスを決定する。Ｍａｘ  ＣＩＲ法でのスケジューリングは、受信状態が劣悪なユーザをスケジューリング対象としない方法なので、受信状態の悪いユーザを無視することで、更なる上りフィードバック量の最適化を図ることができる。
【００５１】
（実施の形態３）
実施の形態３では、無線端末の通信品質の分布度合いに応じてＣＱＩインデックスを変更する。具体的には、いくつかの分布パターンに応じたＣＱＩテーブルを用意しておき、実際の分布パターンと最も近いパターンのＣＱＩテーブル識別情報をＣＱＩインデックス情報として用いる。なお、基本的には、実施の形態３の基地局装置は、実施の形態１の基地局装置の構成と同じなので、図１を参照して説明する。
【００５２】
実施の形態３の基地局装置は、スケジューリング実行部１２１と指定情報生成部１２３とを備えるスケジューリング部を有する。
【００５３】
スケジューリング実行部１２１は、スケジューリングを行うと共に、スケジューリング対象の無線端末数を指定情報生成部１２３に出力する。また、スケジューリング実行部１２１は、各無線端末に関し全ＲＢの通信品質を平均化した後に、その平均値に基づいて通信品質の分布を求める。求められた分布（以下、「測定分布」と呼ぶことがある）は、指定情報生成部１２３に出力される。
【００５４】
指定情報生成部１２３は、測定分布と最も類似する分布パターンを特定する。指定情報生成部１２３は、無線端末数に応じたビット数および特定された分布パターンを示す情報を表すＣＱＩインデックス情報を生成する。指定情報生成部１２３は、いくつかの分布パターンを予め保持している。
【００５５】
基地局装置は、各ユーザからフィードバックされたＣＱＩ情報をもとにＣＱＩインデックスを決定する。その際ＣＱＩの分布度合いを考慮してＣＱＩインデックスを決定する。すなわち、ＣＱＩが集中している部分のテーブル分解能を大きくし、ユーザが存在しない部分のテーブル分解能を小さくする。詳細には、図５に示したＣＱＩテーブルでは、ＣＱＩインデックス情報の示すビット数に関わらず、ビット数を固定した場合、各ＣＱＩ範囲の幅が一定である。これに対して、本実施の形態では、分布パターンに応じた複数のＣＱＩテーブルが用意されている。各ＣＱＩテーブルでは、分布パターンに応じて不均一な幅を持つＣＱＩ範囲が用意されている。通信品質の良い無線端末が多く通信品質の悪い無線端末が少ない分布パターンに対応するＣＱＩテーブルでは、無線品質の良い範囲は小さい幅のＣＱＩ範囲に分けられる一方、無線品質の悪い範囲は大きな幅のＣＱＩ範囲に分けられる。例えば、このような分布パターンで、且つ、ＣＱＩインデックス情報が５ビットを示す場合、２８ｄＢ〜３０ｄＢのような通信品質の良い範囲は、０．２５ｄＢの幅を持つＣＱＩ範囲に分けられる一方、−１０ｄＢ〜−９．５ｄＢのような通信品質の悪い範囲は、１．０ｄＢの幅を持つＣＱＩ範囲に分けられる。つまりＣＱＩインデックスの各値が示すＣＱＩの範囲が異なる。
【００５６】
本実施の形態によれば、演算手段としてのスケジューリング実行部１２１は、スケジューリング対象の無線端末に関して通信品質の分布を算出し、指定情報生成部１２３は、分布のパターンを示す情報を含めた指定情報を生成する。
【００５７】
こうすることにより、無線端末側から分布パターンに即した通信品質情報がフィードバックされるので、基地局装置１００はセル内の状況を十分に反映させたスケジューリングを行うことができる。
【００５８】
なお、上記説明においては、無線端末数および分布パターンという２つのパラメータを用いてＣＱＩ情報の生成、遣り取り等を制御するものとして説明を行った。しかしながら、ビット数は固定として分布パターンに応じてＣＱＩ情報の生成を制御してもよい。このとき各ＣＱＩテーブルでは、ＣＱＩインデックスのビット数は１通りである。そして、各ＣＱＩテーブルは、各分布パターンと対応しており、それぞれ分布パターンに応じて不均一な幅を持つＣＱＩ範囲に分けられている。こうすることによって、制御情報の情報量を減らすことは必ずしもできないが、無線端末側から分布パターンに即した通信品質情報がフィードバックされるので、基地局装置１００はセル内の状況を十分に反映させたスケジューリングを行うことができる。この結果として、システムスループットを向上することができる。
【００５９】
（実施の形態４）
実施の形態４では、基地局装置の最大収容ユーザ数に応じてＣＱＩインデックスを決定する。すなわち、各基地局装置の最大収容ユーザ数は固定的であるので、各基地局装置で生成されるＣＱＩインデックスも固定的である。ただし、システム内には様々な最大収容ユーザ数を持つ基地局装置が混在しているため、無線端末は移動先のセルに対応する基地局装置から送信されるＣＱＩインデックス情報に対応するビット数で表現したＣＱＩ情報を基地局装置にフィードバックする。
【００６０】
実施の形態４の無線通信システムは、収容できる最大の無線端末の数が異なる複数の基地局装置と、通信品質情報を収容されている基地局装置に対してフィードバックする複数の無線端末とを具備する。そして、基地局装置は、収容できる最大の端末数に応じたビット数で通信品質情報を表すことを指定する指定情報を生成する指定情報生成部１２３と、指定情報を送信する送信部１３０とを具備し、無線端末は、指定情報に応じたビット数で通信品質を表現することにより通信品質情報を生成し、生成された通信品質情報を送信する。
【産業上の利用可能性】
【００６１】
本発明の無線通信システム、基地局装置、および無線端末は制御情報のトラヒック量を調整することによりシステムスループットを向上するものとして有用である。
【図面の簡単な説明】
【００６２】
【図１】本発明の実施の形態１に係る基地局装置の構成を示すブロック図
【図２】実施の形態１に係る無線通信システムの動作の説明に供する図
【図３】各無線端末において測定されるサブキャリアブロック毎の通信品質の状況例を示す図
【図４】図３の通信品質状況のときのサブキャリアブロック割り当ての一例を示す図
【図５】ＣＱＩテーブルを示す図
【図６】無線端末から送信されるＣＱＩ情報の形式の説明に供する図
【図７】無線端末数に応じたＣＱＩ情報の形式変更制御の説明に供する図
【符号の説明】
【００６３】
１００  基地局装置
１１０  受信部
１２０  スケジューリング部
１２１  スケジューリング実行部
１２２  帯域割り当て部
１２３  指定情報生成部
１３０  送信部
１４１  無線受信部
１４２  同期処理部
１４３  ＦＦＴ部
１４４  デスクランブル部
１４５  チャネル推定部
１４６  チャネル補償部
１４７  復調部
１４８  誤り訂正復号部
１５１  誤り訂正符号化部
１５２  変調部
１５３  チャネル多重部
１５４  ＯＦＤＭ変調部
１５５  サブキャリアマッピング部
１５６  スクランブル部
１５７  ＩＦＦＴ部
１５８  無線送信部
【図１】
2008283475.tif 000003
【図２】
2008283475.tif 000004
【図３】
2008283475.tif 000005
【図４】
2008283475.tif 000006
【図５】
2008283475.tif 000007
【図６】
2008283475.tif 000008
【図７】
2008283475.tif 000009